(57)【要約】【課題】人が着座した際に、リラックス感を得られるとともに、骨盤を締めることができ、その結果、骨盤のゆがみを補整し、合わせてＯ脚を真っ直ぐにすることができる着座用家具を提供する。【解決手段】  クッション１０の座部２０の左右両側部には、該座部２０に着座した人の左右両大腿に当接して、互いに反対方向に向かう押圧力により押圧する一対の膨出部３０ａが設けられている。【選択図】        図２
2006334025.tif 000002
【特許請求の範囲】
【請求項１】
座部の左右両側部に、該座部に着座した人の左右両大腿に当接して、互いに反対方向に向かう押圧力にて押圧する一対の押圧部を設けたことを特徴とする着座用家具。
【請求項２】
前記押圧部は、弾性部材と該弾性部材をバックアップする支持フレームを備えており、
前記押圧部を、着座した人の大腿部に対し、前記弾性部材を介して前記支持フレームに対して当接するように配置しことを特徴とする請求項１に記載の着座用家具。
【請求項３】
前記座部の左右両側部には肘掛け部を形成し、
前記押圧部は、該肘掛け部から膨出形成された有弾性の膨出部であり、該膨出部を、人の左右両大腿を挟圧可能に配置したことを特徴とする請求項１に記載の着座用家具。
【請求項４】
前記座部は、腰当て部を備え、該腰当て部に着座した人の腰を当てた状態で、前記一対の押圧部により人の左右両大腿を挟圧可能に配置されていることを特徴とする請求項２に記載の着座用家具。
【請求項５】
前記一対の押圧部は、前部間が、後部間よりも狭い間隔を有するように形成したことを特徴とする請求項１乃至請求項４のうちいずれか１項に記載の着座用家具。
【発明の詳細な説明】
【技術分野】
【０００１】
本発明は、椅子、座椅子、クッションのように人が着座するための着座用家具に関する。
【背景技術】
【０００２】
骨盤のずれや歪みは成人病や内臓障害など体に様々な障害を及ぼす可能性があることが指摘されている。このような骨盤のずれを補整するものとして、カードルやベルトが知られている。これらは人体に着用することにより、補整効果が得られようになっている。
【発明の開示】
【発明が解決しようとする課題】
【０００３】
ところが、ガードルやベルトを常時着用する場合は、圧迫感を常に感ずるため、とてもリラックス感を得ることはできず、手軽に骨盤のずれ（ゆがみ）を補整できるものが要望されている。
【０００４】
本発明の目的は、人が着座した際に、リラックス感を得られるとともに、骨盤を締めることができ、その結果、骨盤のゆがみを補整し、合わせてＯ脚を真っ直ぐにすることができる着座用家具を提供することにある。
【課題を解決するための手段】
【０００５】
上記問題点を解決するために、請求項１の発明は、座部の左右両側部に、該座部に着座した人の左右両大腿に当接して、互いに反対方向に向かう押圧力にて押圧する一対の押圧部を設けたことを特徴とする着座用家具を要旨とするものである。
【０００６】
請求項２の発明は、請求項１において、前記押圧部は、弾性部材と該弾性部材をバックアップする支持フレームを備えており、前記押圧部を、着座した人の大腿部に対し、前記弾性部材を介して前記支持フレームに対して当接するように配置したことを特徴とする。
【０００７】
請求項３の発明は、請求項１において、前記座部の左右両側部には肘掛け部を形成し、前記押圧部は、該肘掛け部から膨出形成された有弾性の膨出部であり、該膨出部を、人の左右両大腿を挟圧可能に配置したことを特徴とする。
【０００８】
請求項４の発明は、請求項２において、前記座部は、腰当て部を備え、該腰当て部に着座した人の腰を当てた状態で、前記一対の押圧部により人の左右両大腿を挟圧可能に配置されていることを特徴とする請求項２に記載の着座用家具。
【０００９】
請求項５の発明は、請求項１乃至請求項４のうちいずれか１項において、前部間が、後部間よりも狭い間隔を有するように形成したことを特徴とする。
（作用）
請求項１の発明によれば、人が着座する椅子、座椅子、クッション等の着座用家具は、必要に応じて着座するものであり、これらに人が着座することにより、リラックス感が得られやすい。又、一対の押圧部は、座部に着座した人の左右両大腿部に対して当接すると、反力が働く。その反力には、左右両大腿部に対して互いに反対方向に向かう押圧力成分を含むため、該押圧力成分により、骨盤を締めることができ、その結果、骨盤のゆがみを補整し、Ｏ脚を真っ直ぐにすることができる。
【００１０】
請求項２の発明によれば、押圧部を、着座した人の大腿部に対し、弾性部材を介して支持フレームに対して当接するように配置したことにより、着座した人の大腿部が押圧部に当接した際に、支持フレームにて好適に反力を発生させることができる。
【００１１】
請求項３の発明によれば、一対の膨出部により、座部に着座した人の左右両大腿部は、挟圧されることにより、骨盤を締めることができ、その結果、骨盤のゆがみを補整し、Ｏ脚を真っ直ぐにすることができる。
【００１２】
請求項４の発明によれば、腰当て部に着座した人の腰が当たることにより、背骨を真っ直ぐにでき、前記左右両大腿部の反力よる補整と合わせることにより骨盤のゆがみを総合的に補整することができる。
【００１３】
請求項５の発明によれば、前部間が、後部間よりも狭い間隔を有するよう一対の押圧部の間隔を離間配置することにより、人が着座する際に、開いた状態で左右両大腿部を、一対の押圧部間にスムーズに入れ込むことができる。
【発明の効果】
【００１４】
本の発明によれば、人が着座した際に、リラックス感を得ることができるとともに、骨盤を締めることができ、その結果、骨盤のゆがみを補整し、Ｏ脚を真っ直ぐにすることができる効果を奏する。
【発明を実施するための最良の形態】
【００１５】
以下、本発明を着座用家具としてクッションに具体化した第１実施形態を図１〜６を参照して説明する。なお、本明細書では、図１に示すように、着座用家具に人が着座したとき、その人が向いている方向を前とし、その人を基準として、左右前後という。
【００１６】
図１に示すようにクッション１０は、座部２０、座部２０の左右両側部に設けられた肘掛け部３０、及び腰当て部４０とを備えており、左右対称に形成されている。
図２、図３に示すように、座部２０は座部用フレーム２１と、座部用フレーム２１上に配置固定された弾力のあるウレタンフォーム等の弾性材からなる板状のクッション材２２と、クッション材２２の前部を持ち上げるための木材等からなる板状の中間板２３と、座部用フレーム２１，クッション材２２を覆う布等からなるカバー２４とを備えている。座部用フレーム２１は、金属製枠体に対して格子状等に金属線材等が配置された軽量フレームからなる。中間板２３を座部用フレーム２１の前部上に配置することにより、図３に示すようにクッション材２２は、前部が高く、後部が低くなるようにされている。このため、座部２０は、後部側へ傾いた斜面を備えている。
【００１７】
肘掛け部３０は、側部用フレーム３１と、クッション材３２，３２ａ，３４と、側部用フレーム３１の外側面側に配置されたクッション材３３とを備え、前記カバー２４により、側部用フレーム３１，クッション材３２，３２ａ，３３，３４が覆われている。側部用フレーム３１は、金属製枠体に対して格子状等に金属線材等が配置された軽量フレームからなり、座部用フレーム２１の左右両側部に対して、一体に連結されて立設されている。図２に示すようにクッション材３２は、弾力のあるウレタンフォーム等の弾性材から半円柱状に形成され、側部用フレーム３１の内側面に対して断面半円状の曲面が内方に向かうように配置されている。クッション材３２ａは、弾力のあるウレタンフォーム等の弾性材から板状に形成され、クッション材３２と一体に連結されている。そして、クッション材３２ａは、側部用フレーム３１に対して固定されている。
【００１８】
クッション材３４は、弾力のあるウレタンフォーム等の弾性材からシート状に形成され、前記カバー２４内において、クッション材３２の半円柱状の面、クッション材３２ａ、側部用フレーム３１及びクッション材３３の上面、側部用フレーム３１の内側面下部を覆うように配置されている。
【００１９】
肘掛け部３０の座部２０後部上面からの高さは、座部２０に人（例えば成人）が着座したときに、肘Ｅが図６に示すように載る高さ１５〜２０ｃｍ程度に設定されている。なお、この高さは、前記数値に限定されるものではなく、このクッションが使用される人の大きさに合わせて適宜設定してよい。
【００２０】
又、一対のクッション材３２は、図１に示すように平面視したときに、前部が開き、後部が狭くなるように、配置されている。例えば、前部の間隔は、４０ｃｍ程度、後部の間隔は、２５ｃｍ程度としてもよい。このように、一対の肘掛け部３０の間隔は、成人用の一般的な肘掛け部付きの椅子等に比較して、狭くされている。肘掛け部３０においてクッション材３２が配置された部位は、押圧部としての膨出部３０ａとされている。すなわち、成人用の肘掛け部を備えた従来の一般的な椅子の場合には、該肘掛けに触れないで、余裕がある状態で成人が着座できるのに対して、本実施形態では、着座する場合、肘掛け部３０の膨出部３０ａが、大腿部や臀部に対して干渉した状態で、肘掛け部３０（特にクッション材３２）の弾性に抗して、着座できるようにされている。
【００２１】
又、図２に示すように、肘掛け部３０の膨出部３０ａと座部２０の左右両側部上面間は、大腿部が退避する退避空間Ｔが形成されている。なお、退避空間Ｔの上下高さは、一般的な成人の大腿部の最大径よりも短くされており、図５に示すように着座した際に、膨出部３０ａは、大腿部により、上方に押圧変形されるようにされている。
【００２２】
ここで、側部用フレーム３１は、支持フレームに相当し、クッション材３２，３４は、弾性部材に相当する。
腰当て部４０は、腰当て部用フレーム４１と、薄板状のクッション材４２と、腰当て部用フレーム４１の後面側に配置されたクッション材４３とを備え、前記カバー２４により、腰当て部用フレーム４１，クッション材４２，４３が覆われている。腰当て部用フレーム４１は、金属製枠体に対して格子状等に金属線材等が配置された軽量フレームからなり、座部用フレーム２１の後側部に対して、一体に連結されて立設されている。クッション材４２は、図３に示すように弾力のあるウレタンフォーム等の弾性材から板状に形成され、腰当て部用フレーム４１の前側面に対して固定されている。
【００２３】
図１に示すように、腰当て部４０では、肘掛け部３０とは異なり、半円柱状に膨らんだ膨出部３０ａに相当するものがないため、腰の左右両側部を収納可能な収納空間Ｋが形成されている。この収納空間Ｋの前後の長さは、成人の腰の左右両側部における前後の一般的（すなわち、平均的な）長さよりも若干短くなるように設定されている。又、腰当て部４０の高さは、腰当て部４０全体が腰に当たるに充分な高さとされている。
【００２４】
さて、上記のように構成されたクッション１０の作用を説明する。
クッション１０に人Ｈが着座する場合、座部２０の後部上面に対して、その人Ｈの臀部Ｄｎを図６に示すように置くとともに、左右の両大腿部Ｄｌ，Ｄｒを座部２０の前部上面に置く。このように座部２０に着座する際、一対の膨出部３０ａは、臀部の幅、腰の幅や、左右両大腿部Ｄｌ，Ｄｒの合計幅よりも狭くされているため、これらに干渉するが、膨出部３０ａは弾性的に変形して、左右両大腿部Ｄｌ，Ｄｒの座部２０に対する着座を許容する。このように人Ｈが着座した状態は、図５，図６で示されている。図５に示すように、退避空間Ｔには、左右の両大腿部の一部がそれぞれ退避して入る。又、収納空間Ｋには、腰の左右の一部が入る。そして、図５に示すように、一対の膨出部３０ａは、人Ｈの左右両大腿部Ｄｌ，Ｄｒを互いに反対方向に押圧する。
【００２５】
すなわち、左右両大腿部Ｄｌ，Ｄｒが、膨出部３０ａのクッション材３２，３４を介して、側部用フレーム３１に押圧当接した際に、反力が働き、その反力が、左右両大腿部Ｄｌ，Ｄｒに対して主たる押圧力（すなわち、挟圧力）として働く。なお、クッション材３２による弾性力も押圧力となるが、本実施形態では、一般的な成人が使用した場合には、側部用フレーム３１に押圧当接した際の反力が、クッション材３２による弾性力による押圧力よりも大きくなるように、各部材の配置関係や、弾性力を備えた材質の選定により、設定されている。一対の側部用フレーム３１は、図２に示すように互いに対向しているため、各側部用フレーム３１から作用する反力は、互いに反対方向の向きとなる。
【００２６】
そして、図５に示すように、退避空間Ｔには、左右の両大腿部の一部がそれぞれ退避して入ることとも相まって、左右両大腿部Ｄｌ，Ｄｒは、左右両側方から働く押圧力が同時に作用し、図４（ｂ）に示すように人Ｈの骨盤Ｂにずれ（ゆがみ）があっても補整できる（図４（ａ）参照）。
【００２７】
Ｏ脚の人Ｈの場合にも、左右両大腿部Ｄｌ，Ｄｒが一対の膨出部３０ａにより、左右両側から押圧されるため、膝も自然に締まり補整される。このようにして、本実施形態では、弾性部材を有する膨出部３０ａが骨盤Ｂを左右両側方からサポートする。
【００２８】
又、図３、６に示すように、座部２０は人Ｈの体重により、クッション材２２が、弾性変形する。又、収納空間Ｋの前後の長さは、成人の腰の左右両側部における前後の一般的（すなわち、平均的な）長さよりも若干短くなるように設定されているため、一般的な成人が着座すると、腰には、膨出部３０ａの後部と、腰当て部４０からの押圧力（すなわち、挟圧力）が加わり、骨盤Ｂの前後方向のゆがみに対しても補整される。なお、この場合の主たる押圧力は、腰当て部用フレーム４１からの反力と、側部用フレーム３１を固定したクッション材３２からの反力及び、クッション材３２の弾性力である。
【００２９】
この結果、人Ｈの腰は、腰当て部４０に対して強制的に沿わせられて、前述した骨盤Ｂの補整と相まって、背骨（背筋）が正面から見て真っ直ぐとなるように補整される。
又、本実施形態では、人Ｈが着座すると、形が崩れていく従来のクッションとは異なり、中身は軽量フレームの入った構造のため、型崩れしにくく背中も安定しリラックスできる。
【００３０】
（第２実施形態）
次に、着座用家具を座椅子１００に具体化した第２実施形態を図７〜１２を参照して説明する。
【００３１】
座椅子１００は、図７に示すように、座部２００、座部２００の左右両側部に設けられた肘掛け部３００、及び背もたれ部４００及び足載せ部５００とを備えており、左右対称に形成されている。
【００３２】
座部２００は、金属製枠体に対して格子状等に金属線材等が配置された軽量フレームからなる座部用フレーム２１０と、座部用フレーム２１０上に配置固定された弾力のあるウレタンフォーム等の弾性材からなるクッション材２２０と、座部用フレーム２１０，クッション材２２０を覆う布等からなるカバー２４０とを備えている。
【００３３】
肘掛け部３００は、側部用フレーム３１０と、クッション材３２０，３３０と、側部用フレーム３１０の外側面側に配置されたクッション材３４０とを備え、前記カバー２４０により、側部用フレーム３１０，クッション材３２０，３３０，３４０が覆われている。側部用フレーム３１０は、金属製枠体に対して格子状等に金属線材等が配置された軽量フレームからなり、座部用フレーム２１０の左右両側部に対して、一体に連結されて立設されている。図８，図９に示すようにクッション材３２０は、弾力のあるウレタンフォーム等の弾性材から半円柱状に形成され、側部用フレーム３１０の内側面に対して断面半円状の曲面が内方に向かうように配置されている。クッション材３３０は、弾力のあるウレタンフォーム等の弾性材からシート状に形成され、前記カバー２４０内において、側部用フレーム３１０及びクッション材３４０の上面及び外側面を覆うように配置されている。
【００３４】
肘掛け部３００の座部２００上面からの高さは、座部２００に人（例えば成人）が着座したときに、図１１に示すように肘Ｅが載る高さ１５〜２０ｃｍ程度に設定されている。なお、この高さは、前記数値に限定されるものではなく、このクッションが使用される人の大きさに合わせて適宜設定してよい。
【００３５】
又、一対の肘掛け部３００の間隔は、成人用の一般的な肘掛け部付きの椅子等に比較して、狭くされている。肘掛け部３００においてクッション材３２０が配置された部位は、押圧部としての膨出部３００ａとされている。第２実施形態においても、第１実施形態の膨出部３０ａと膨出部３００ａの離間距離は同様とされており、その機能は、同じであるため、膨出部３００ａの機能説明を省略する。第２実施形態では、第１実施形態と異なり、退避空間Ｔは形成されておらず、図１２に示すように、膨出部３００ａの最も突出した部位で、大腿部を押圧可能である。
【００３６】
ここで、側部用フレーム３１０は、支持フレームに相当し、クッション材３２０，３３０は、弾性部材に相当する。
背もたれ部４００は、背もたれ用フレーム４１０と、背もたれ用フレーム４１０の前面側及び後面側に配置されたクッション材４２０とを備え、前記カバー２４０により、背もたれ用フレーム４１０，クッション材４２０が覆われている。背もたれ用フレーム４１０は、金属製枠体に対して格子状等に金属線材等が配置された軽量フレームからなり、座部用フレーム２１０の後部に対して、リクライニング機構部２７０を介して連結されている。
【００３７】
リクライニング機構部２７０は、背もたれ用フレーム４１０を座部用フレーム２１０に対して、所定角度の範囲において、段階的に位置させることが設定可能な公知のリクライニング機構である。リクライニング機構部２７０により、本実施形態では、背もたれ用フレーム４１０は、図１０に示すように、座部用フレーム２１０に対して９０度近くの角度位置から１８０度となるように角度位置までの範囲で、所定角度毎に、位置してその位置に保持することが可能である。なお、リクライニング機構部２７０は公知であり、本発明の要部ではないため、詳細な説明を省略する。クッション材４２０は、弾力のあるウレタンフォーム等の弾性材から形成され、背もたれ用フレーム４１０の前後両側面に対して固定されている。
【００３８】
足載せ部５００は、足載せ用フレーム５１０と、足載せ用フレーム５１０の上面側及び下面側に配置されたクッション材５２０とを備え、前記カバー２４０により、足載せ用フレーム５１０，クッション材５２０が覆われている。足載せ用フレーム５１０は、金属製枠体に対して格子状等に金属線材等が配置された軽量フレームからなり、座部用フレーム２１０の前部に対して、前記リクライニング機構部２７０と同じ原理で機能する機構部５３０を介して連結されている。
【００３９】
そして、この機構部５３０により、足載せ用フレーム５１０は、図１０に示すように、座部用フレーム２１０に対して、下方へ斜状に位置する所定角度位置と、座部用フレーム２１０に対して１８０度位置となる（図１０において、座部用フレーム２１０が水平の場合、水平位置）位置の間で、段階的に位置させ保持することが設定可能である。なお、この機構部５３０についても、公知であり、本発明の要部ではないため、詳細な説明を省略する。
【００４０】
さて、第２実施形態の座椅子１００においても、座椅子１００に人Ｈが着座すると、一対の膨出部３００ａは、臀部の幅、腰の幅や、左右両大腿部Ｄｌ，Ｄｒの合計幅よりも狭くされているため、これらに干渉するが、膨出部３０ａは弾性的に変形して、左右両大腿部Ｄｌ，Ｄｒの座部２００に対する着座を許容する。このように人Ｈが着座した状態は、図１１，１２に示すように、一対の膨出部３００ａは、人Ｈの左右両大腿部Ｄｌ，Ｄｒを互いに反対方向に押圧する。
【００４１】
すなわち、左右両大腿部Ｄｌ，Ｄｒが、膨出部３００ａのクッション材３２０，３３０を介して、側部用フレーム３１０に押圧当接した際に、反力が働き、その反力が、左右両大腿部Ｄｌ，Ｄｒに対して主たる押圧力（すなわち、挟圧力）として働く。なお、クッション材３２０による弾性力も押圧力となるが、本実施形態では、一般的な成人が使用した場合には、側部用フレーム３１０に押圧当接した際の反力が、クッション材３２０，３３０による弾性力による押圧力よりも大きくなるように、各部材の配置関係や、弾性力を備えた材質の選定により、設定されている。一対の側部用フレーム３１０は、図９に示すように互いに対向しているため、各側部用フレーム３１０から作用する反力は、互いに反対方向の向きとなる。
【００４２】
そして、左右両大腿部Ｄｌ，Ｄｒは、左右両側方から働く押圧力が同時に作用するため、図４（ｂ）に示すように人Ｈの骨盤Ｂにずれ（ゆがみ）があっても補整できる（図４（ａ）参照）。又、Ｏ脚の人Ｈの場合にも、左右両大腿部Ｄｌ，Ｄｒが一対の膨出部３００ａにより、左右両側から押圧されるため、膝も自然に締まり補整される。このようにして、第２実施形態においても、弾性部材としてのクッション材３２０，３３０を有する膨出部３００ａが骨盤Ｂを左右両側方からサポートする。
【００４３】
又、第２実施形態によれば、座椅子１００のクッション材４２０，２２０，５２０の形状設定によって、人Ｈの全身を背後から包みようにすることもできるため、リラックス感を享受することが可能である。
【００４４】
さらに、リクライニング機構部１１１，機構部５３０により、平らに配置することもできるため、本実施形態の座椅子１００によれば、座椅子からペッドへと変幻自在にすることもでき、平らの状態にすると全身ストレッチを体感できる。
【００４５】
（第３実施形態）
次に、着座用家具を椅子６００に具体化した第３実施形態を図１３〜１６を参照して説明する。
【００４６】
図１３に示すように椅子６００は、座部６２０、及び背もたれ部６４０、及び、座部６２０を支持する脚６５０を備えており、左右対称に形成されている。
座部６２０は、金属線材等にて所定の枠体に形成された座部用フレーム６２１を備えている。図１５（ａ）に示すように、座部用フレーム６２１の正面中央には、ベース６２６が固定されている。又、座部用フレーム６２１の下部には、脚６５０が固定され、該座部用フレーム６２１を支持している。座部用フレーム６２１は、支持フレームに相当する。
【００４７】
図１５（ａ）に示すように、椅子６００を正面から見て、左右には、座部用フレーム６２１上にクッション材６２２，６２３と、クッション材６２２，６２３，座部用フレーム６２１の一部，クッション材６２２を覆うクッション材６２５と、クッション材６２２を覆う布等からなるカバー６２４とを備えている。クッション材６２２，６２３，６２５は、弾力のあるウレタンフォーム等の弾性材からなる。クッション材６２２は、断面半円柱状に形成されており、弾性部材に相当する。
【００４８】
左右に配置された各クッション材６２２，６２３は、図１５に示すように、中央から、それぞれ左右に斜め上方に延びる座部用フレーム６２１に対して、固定支持されている。このことにより、左右の各クッション材６２２が左右両大腿部Ｄｌ，Ｄｒにて押圧された際に、クッション材６２２を介して座部用フレーム６２１に反力が生じ、前記左右両大腿部Ｄｌ，Ｄｒに対して、該反力を押圧力として作用するようにしている。又、左右のクッション材６２２を介して座部用フレーム６２１に生じた各反力は、該クッション材６２２を支持する部位が、互いに向き合う側に斜状に配置されているため、ベクトル的に分解すると、互いに反対方向成分を持っている。座部用フレーム６２１は、支持フレームに相当する。
【００４９】
クッション材６２２，６２３は、座部６２０において、左右一対設けて設けられており、これらのクッション材６２２，６２３により、図１５（ａ）に示すように、座部６２０は左右側部上面である座面が高く、それに対して、中央の座面は、同図に示すように、半円弧状に凹部８１０が形成されて、低くされている。又、凹部８１０は、後部へ行くほど、又、下に行くほど狭くなるようにされている。すなわち、人Ｈが着座した際に、凹部８１０に誘導されて臀部Ｄｎが、自然と沈み込むようにされている。該凹部８１０に人Ｈが着座した際には、該凹部８１０の下部は、ベース６２６にて支持される。
【００５０】
又、この左右の座面が高い部位は、一対の押圧部７００とされている。一対の押圧部７００の距離は、一般の成人の左右両大腿部のそれぞれを図１６に示すように、斜状に押圧可能な長さとされている。又、図１５（ｂ）に示すように、座部６２０の押圧部７００は、前部よりも後部側の方が低くなるように斜状に配置されている。
【００５１】
又、座部６２０の後部の中央は、図１４に示すように、後述する背もたれ部６４０との間に下方及び後方に開放された貫通部８００が形成されている。貫通部８００は、図１４に示すように、一般的（平均的）な成人の臀部Ｄｎが入り込む程度の大きさとされている。
【００５２】
背もたれ部６４０は、座部用フレーム６２１から延びた支持部材６６０を介して固定されている。背もたれ部６４０は背もたれ用フレーム６５５、背もたれ用フレーム６５５の全面に支持されたクッション材６５２，６５３，及び、それらを覆うように設けられた布等からなるカバー６５４とを備えている。
【００５３】
図１５に示すように背もたれ用フレーム６５５は、上下方向に延びる中心線（図示しない）を中心に左右対称に設けられて、一対配置されており、各背もたれ用フレーム６５５に対応した部分にクッション材６５２が配置されることにより、背もたれ部６４０の前面には、膨らみＦが形成されている。このクッション材６５２による左右一対の膨らみＦにより、背もたれ部６４０の前記中心線に沿うように背中がもたれた場合、人Ｈの背骨を真っ直ぐになるようにサポートする。
【００５４】
さて、上記のように構成された第３実施形態の椅子６００では、人Ｈが着座すると、座部６２０において、凹部８１０を中心として一対の押圧部７００が、人Ｈの体重により弾性変形して沈み込む。
【００５５】
そして、該クッション材６２２を支持する部位が、互いに向き合う側に斜状に配置されているため、左右のクッション材６２２を介して座部用フレーム６２１に生じた各反力Ｆａ，Ｆｂは、鉛直方向及び水平方向にベクトル的に分解すると、互いに反対方向成分ｆ１，ｆ２を持っている。このため、このように人Ｈが着座した状態は、図１６に示すように、座部６２０の一対の押圧部７００は、人Ｈの左右両大腿部Ｄｌ，Ｄｒを、互いに反対方向成分の押圧力により、互いに反対方向に押圧する。
【００５６】
そして、左右両大腿部Ｄｌ，Ｄｒは、左右両側方から働く押圧力が同時に作用するため、図４（ｂ）に示すように人Ｈの骨盤Ｂにずれ（ゆがみ）があっても補整できる（図４（ａ）参照）。又、Ｏ脚の人Ｈの場合にも、左右両大腿部Ｄｌ，Ｄｒが一対の沈み込みした７００により、左右両側から押圧されるため、膝も自然に締まり補整される。このようにして、第３実施形態においても、弾性部材としてのクッション材６２２を有する押圧部７００が骨盤Ｂを左右両側方からサポートする。
【００５７】
このように、第３実施形態では、座部６２０の凹部８１０が、下に行くほど狭くなっている構造のため、体重により臀部Ｄｎを凹部８１０内側へと自然に誘い込みしてサポートできる。
【００５８】
又、座部６２０に形成した貫通部８００は臀部Ｄｎが図１４に示すように、位置するため、座骨の負担を軽減し、無理な圧力が座骨にかかることがない。このようにして、第３実施形態では、骨盤のゆがみや広がりを自然に補うことができる。
【００５９】
さらに、第３実施形態では、背もたれ部６４０に設けた２つの膨らみＦが、背骨を両サイドからサポートできるため、硬くなった背筋をほぐしながら姿勢を真っ直ぐキープすることができる。加えて、人Ｈの背部を支えながら臀部Ｄｎが沈み込む構造により、無理なくゆがんだ姿勢を補整でき、リラックス感をもって着座することができる。
【００６０】
なお、本発明は前記実施形態に限定するものではなく下記のように変更してもよい。
○  第２実施形態では一対の肘掛け部３００を固定しているが、両肘掛け部３００を互いに接近離間の方向において位置調節自在に設けてもよい。位置調節自在にするための機構は、スライド機構や、回転機構で実現することができ、ノッチ等により、段階的にできれば好ましい。このようにすると、使う人によって、大腿部に対する押圧力の調整が可能となる。
【図面の簡単な説明】
【００６１】
【図１】第１実施形態のクッションの斜視図。
【図２】第１実施形態のクッションの要部面図。
【図３】第１実施形態のクッションの要部面図。
【図４】（ａ）、（ｂ）は、人の骨盤の状態を示す説明図。
【図５】第１実施形態のクッションの作用を示す説明図。
【図６】第１実施形態のクッションの作用を示す説明図。
【図７】第２実施形態の座椅子の斜視図。
【図８】第２実施形態の座椅子の要部断面図。
【図９】第２実施形態の押圧部の要部断面図。
【図１０】第２実施形態の座椅子の縦断面図。
【図１１】第２実施形態の作用を示す説明図。
【図１２】第２実施形態の作用を示す説明図。
【図１３】第３実施形態の椅子の斜視図。
【図１４】第３実施形態の椅子の作用を示す説明図。
【図１５】（ａ）は椅子の要部断面図，（ｂ）は（ａ）の１−１線断面断面図。
【図１６】第３実施形態の椅子の作用を示し、図１４の２−２線で断面視した場合の説明図。
【符号の説明】
【００６２】
１０…クッション、２０…座部、３０…肘掛け部、３０ａ…膨出部（押圧部）
３１…側部用フレーム（支持フレーム）、３２，３４…クッション材（弾性部材）
４０…腰当て部、２００…座部、３００…肘掛け部、３１０…側部用フレーム（支持フレーム）、３２０，３３０…クッション材（弾性部材）、６２０…座部、６２１…座部用フレーム（支持フレーム）、６２２…クッション材（弾性部材）。
【図１】
2006334025.tif 000003
【図２】
2006334025.tif 000004
【図３】
2006334025.tif 000005
【図４】
2006334025.tif 000006
【図５】
2006334025.tif 000007
【図６】
2006334025.tif 000008
【図７】
2006334025.tif 000009
【図８】
2006334025.tif 000010
【図９】
2006334025.tif 000011
【図１０】
2006334025.tif 000012
【図１１】
2006334025.tif 000013
【図１２】
2006334025.tif 000014
【図１３】
2006334025.tif 000015
【図１４】
2006334025.tif 000016
【図１５】
2006334025.tif 000017
【図１６】
2006334025.tif 000018